(57)【特許請求の範囲】
【請求項１】
略四角形の底壁(10)と、底壁(10)の４周に起立状態に設けた立ち上がり周壁(11)(12)(13)(14)と、底壁(10)を貫通するパン排水口(18)と、前記底壁(10)の隅部を上方に膨出して設けた脚部支持用台座(15)とを具備し、この脚部支持用台座(15)の側縁と前記立ち上がり周壁(11)(12)(13)(14)との連設部であって、前記脚部支持用台座(15)の側縁の前記立ち上がり周壁(11)(12)(13)(14)側に、ホース案内用凹部(20)を形成したことを特徴とする洗濯機パン。
【請求項２】
ホース案内用凹部（２０）を脚部支持用台座（１５）から離隔する方向に漸次高さを低くする傾斜面から形成するとともに、同傾斜面の下端を底壁（１０）の上面と面一状に連続させたことを特徴とする請求項１記載の洗濯機パン。
【発明の詳細な説明】
【０００１】
【産業上の利用分野】
この発明は、コンパクトな形状を維持しながら排水ホースを破損を防止できる洗濯機パンに関する。
【０００２】
【従来の技術】
従来、洗濯機の脚部を載置・支持可能な台座を有する洗濯機パンとして実開昭５４−１０１０７８  号に記載されている洗濯機パンがあり、同洗濯機パンＢの構成を図８に示す。
【０００３】
図示するように、洗濯機用防水床板５１は、合成樹脂製の薄板で形成されており、中央部に排水口５４を穿設し、全周にわたって防水壁５２を起立させると共に、同防水壁５２の４隅に、上方に膨出して台座５３を設け、排水口５４下に排水トラップを接続している。そして、台座５３上に洗濯機の脚部を支持可能としている。
【０００４】
上記した構成において、洗濯機の脚部を台座５３に載置した状態で、排水ホース５７を脚部の間を通して中央部の排水口５４に接続することができる。これは、洗濯機用防水床板５１の周囲に設けられた台座５３上より台座５３下の排水孔まで排水ホース５７を湾曲するのに必要なスペースをとることができるからである。
【０００５】
従って、台座５３の外周、即ち、洗濯機の外周に沿って防水壁５２を設けることができ、その敷設寸法をほぼ洗濯機の底面寸法に等しく洗濯機の載置に必要な最低寸法に定めることができる。
【０００６】
【発明が解決しようとする課題】
しかし、上記した構成を有する洗濯機パンＢは、未だ、以下の解決すべき課題を有していた。
【０００７】
即ち、洗濯機パンＢ上に載置される洗濯機は、機種によって、その底面の大きさを相当異にしており、これら全ての洗濯機を同一の洗濯機パンＢに載置可能とするためには、洗濯機の脚部を載置支持する台座５３の載置面積を大きくする必要がある。
【０００８】
しかし、台座５３を大きくすると、台座５３と排水口５４間の距離が小さくなり、図９に示すように、台座５３の角部５３ａ  に洗濯機の排水ホース５７が当たり、排水ホース５７が急角度で折れ曲がる、即ち、曲率半径が小さくなるため、排水ホース５７が損傷しやすく、又、排水がスムーズにいかないおそれがあった。
【０００９】
本発明は、上記課題を解決することのできる洗濯機パンを提供することを目的としている。
【００１０】
【課題を解決するための手段】
本発明は、略四角形の底壁と、底壁の４周に起立状態に設けた立ち上がり周壁と、底壁を貫通するパン排水口と、前記底壁の隅部を上方に膨出して設けた脚部支持用台座とを具備し、この脚部支持用台座の側縁と前記立ち上がり周壁との連設部であって、前記脚部支持用台座の側縁の前記立ち上がり周壁側に、ホース案内用凹部を形成したことを特徴とする洗濯機パンに係るものである。
【００１１】
本発明は、また、上記した洗濯機パンにおいて、ホース案内用凹部を脚部支持用台座から離隔する方向に漸次高さを低くする傾斜面から形成するとともに、同傾斜面の下端を、底壁の上面と面一状に連続させたことにも構成上の特徴を有する。
【００１２】
【作用】
本発明では、洗濯機の下部に設けた洗濯機排水口に一端を接続した排水ホースをホース案内用凹部を通して洗濯機パンの内部に導入し、その他端を底壁に設けたパン排水口上に配設するようにしている。従って、排水ホースを無理に折り曲げることなく、スムースに洗濯機排水口とパン排水口とを連絡することができることになる。
【００１３】
【実施例】
以下、添付図に示す実施例を参照して、本発明に係る洗濯機パンの構成を具体的に説明する。
【００１４】
図１は本実施例に係る洗濯機パンの使用状態を示す説明図、図２は同平面図、図３は同底面図、図４は図２の  Ｉ−Ｉ  線における断面図、図５は図２のＩＩ−ＩＩ  線における断面図、図６は脚部支持用台座の斜視図である。
【００１５】
図１に示すように、洗濯機パンＡは、好ましくは、射出成形可能なＡＢＳ樹脂等の合成樹脂製であり、略四角形の底壁１０の４周縁に起立状態に四つの立ち上がり周壁１１，１２，１３，１４  を連設しており、周壁同士が直交状態に連設される個所には、それぞれ、直角の隅部が形成されている。
【００１６】
底壁１０の各隅部は、上方に膨出して脚部支持用台座１５を形成しており、各台座１５は、平面視で略正方形の平滑な脚部支持面１５ａ  と、同脚部支持面１５ａ  から周縁と底壁１０の上面とを上下方向に連絡するエプロン部１５ｂ，１５ｃ  とからなる。この脚部支持用台座１５上に、洗濯機１６の脚部１７が載置・支持されることになる。
【００１７】
また、洗濯機パンＡは、一側立ち上がり周壁１１の近傍をなすとともに、脚部支持用台座１５，１５  間の中間をなす個所に、エルボからなるパン排水口１８を設けており、同パン排水口１８の基端は、排水トラップ１９の上端開口に首振自在に接続されている。
【００１８】
本実施例は、上記した構成を有する洗濯機パンＡにおいて、図１〜図５に示すように、各脚部支持用台座１５の両側縁と隣接する立ち上がり周壁１１，１２，１３，１４  との連設部にホース案内用凹部２０を形成したことを特徴とする。なお、ホース案内用凹部２０は、各脚部支持用台座１５の一側側縁のみに設けてもよく、また、任意の立ち上がり周壁  （例えば、立ち上がり周壁１１のみ）  と脚部支持用台座１５との間にのみ設けてもよい。
【００１９】
ホース案内用凹部２０は、好ましくは、図６に示すように、Ｕ字状断面を有しかつ各脚部支持用台座１５から離隔する方向に漸次高さを低くする傾斜面２０ａ  から形成するとともに、同傾斜面２０ａ  の下端を底壁１０の上面と面一状に連続させている。
【００２０】
かかる構成によって、洗濯機１６の下部に設けた洗濯機排水口２１に一端を接続した屈曲性を有する排水ホース２２を一側立ち上がり周壁１１に沿って傾斜状態に設けたホース案内用凹部２０を通して洗濯機パンＡの内部に導入し、同排水ホース２２の他端を底壁１０に設けたパン排水口１８上に配設することができる。
【００２１】
即ち、脚部支持面１５ａ  とエプロン部１５ｂ，１５ｃ  とが連絡する角部１５ｄ  が鋭角の場合であっても、排水ホース２２を同角部１５ｄ  を通すことなく、大きな曲率半径で屈曲しながら洗濯機パンＡの内部に導入できるので、排水ホース２２を無理に折り曲げることなく、排水ホース２２の破損等を確実に防止することができる。
【００２２】
また、洗濯機１６の機種如何にかかわらず、排水ホース２２を洗濯機パンＡ内に無理なく収めることができ、多機種の洗濯機１６に対応可能な洗濯機パンＡをコンパクトな形態に保持することができる。
【００２３】
図示の実施例における洗濯機パンＡのその他の構成について説明すると、以下の通りである。
【００２４】
図２、図４及び図６に示すように、本実施例では、脚部支持用台座１５のエプロン部１５ｂ，１５ｃ  も、ホース案内用凹部２０と同様に、脚部支持用台座１５から離隔する方向に漸次高さを低くする傾斜面としている。従って、洗濯機１６への振動によって洗濯機１６が移動し、その脚部１７が脚部支持用台座１５の脚部支持面１５ａ  から落下する場合であっても、傾斜面をすべりながら落下することになる。従って、脚部支持用台座１５から洗濯機１６の脚部１７が急に落下するのを防止でき、急な落下による洗濯機１６の故障や、洗濯機パンＡに破損を効果的に防止することができる。また、万一、排水ホース２２を、脚部支持面１５ａ  とエプロン部１５ｂ，１５ｃ  とが連絡する角部１５ｄ  を通してパン排水口１８に連絡しなければならない場合が生じても、排水ホース２２を比較的大きな曲率半径で屈曲することができるので、排水ホース２２を無理に折り曲げることなく、排水ホース２２の破損等を防止することができる。
【００２５】
図２、図６及び図７に示すように、各脚部支持用台座１５は、その脚部支持面１５ａ  上に滑り止め用凹凸模様Ｐを設けている。本実施例では、かかる滑り止め用凹凸模様Ｐは、脚部支持面１５ａ  上に交互に平行間隔を開けて設けた一定幅を有する多数の凸条３０と、一定幅を有する多数の凹溝３１とから形成している。これらの凸条３０と凹溝３１とは、ともに、底壁１０の隅部から中心に向けて平行に伸延しており、脚部支持面１５ａ  に落下した水の水はけを良くしている。
【００２６】
さらに、脚部支持面１５ａ  は、図５から最も明らかなように、底壁１０の隅部から中心に向けて穏やかな下り勾配αを設けており、この面からも脚部支持面１５ａ  に落下した水の水はけを良くしている。また、この場合、脚部支持面１５ａ  上に載置した洗濯機１６の各脚部１７は、いずれの方向にも移動できないので、洗濯中の振動等による洗濯機１６の移動、及び、同移動に起因する洗濯機１６の脚部１７の脚部支持面１５ａ  からの落下を確実に防止することができる。
【００２７】
また、図３及び図４に示すように、脚部支持用台座１５は、その裏面に長尺の格子状リブ４０を設けており、同台座１５の剛性を高めている。従って、脚部支持用台座１５の脚部支持面１５ａ  上に、洗濯機１６の脚部１７を介して集中荷重がかかった場合であっても、脚部支持用台座１５は変形したり、破損したりするのを確実に防止することができる。
【００２８】
同様に、底壁１０の裏面であって、脚部支持用台座１５を除いた部分には、短尺の格子上リブ４１を設けており、同底壁１０の剛性を高めている。
【００２９】
図２に示すように、本実施例では、底壁１０の上面に水が溜まらず、トラップ１９に向かって水が円滑に流れるように、第１の上面１０ａ  はａ方向に向かう下り勾配で穏やかに傾斜し、第２の上面１０ｂ  はｂ方向に向かう下り勾配で穏やかに傾斜し、第３の上面１０ｃ  はｃ方向に向かう下り勾配で穏やかに傾斜し、第４の上面１０ｄ  はｄ方向に向かう下り勾配で穏やかに傾斜し、第５の上面１０ｅ  はｅ方向に向かう下り勾配で穏やかに傾斜し、第６の上面１０ｆ  はｆ方向に向かう下り勾配で穏やかに傾斜している。
【００３０】
従って、底壁１０の上面に落下した水や、脚部用台座１５から底壁１０の上面に流れ込んだ水は円滑にトラップ１９に向かって流れ、水はけが良くなる。
【００３１】
【発明の効果】
（１）本発明では、略四角形の底壁と、底壁の４周に起立状態に設けた立ち上がり周壁と、底壁を貫通するパン排水口と、前記底壁の隅部を上方に膨出して設けた脚部支持用台座とを具備し、この脚部支持用台座の側縁と前記立ち上がり周壁との連設部であって、前記脚部支持用台座の側縁の前記立ち上がり周壁側に、ホース案内用凹部を形成している。
【００３２】
従って、排水ホースをホース案内用凹部内に無理なく納めることができ、洗濯機排水口とパン排水口とを連絡するに際して、排水ホースを大きな曲率半径で曲げることができ、排水ホースの破損を確実に防止することができる。
【００３３】
また、立ち上がり周壁の近傍部分を除いて脚部支持用台座の脚部支持面を大きくとることができるので、種々の大きさの洗濯機に対応することができる。
【００３４】
▲２▼ホース案内用凹部を脚部支持用台座から離隔する方向に漸次高さを低くする傾斜面から形成するとともに、同傾斜面の下端を、底壁の上面と面一状に連続させた場合には、さらに、排水ホースの折れ曲がりを防止することができ、同ホースの破損をより確実に防止することができる。
【図面の簡単な説明】
【図１】本実施例に係る洗濯機パンの使用状態を示す説明図である。
【図２】同平面図である。
【図３】同底面図である。
【図４】図２のＩ−Ｉ  線による断面図である。
【図５】図２のＩＩ−ＩＩ  線による断面図である。
【図６】脚部支持用台座の斜視図である。
【図７】図６のＩＩＩ−ＩＩＩ  線による断面図である。
【図８】従来の洗濯機パンの全体斜視図である。
【図９】同洗濯機パンにおける排水ホースの配置状態図である。
【符号の説明】
Ａ    洗濯機パン
１０    底壁
１１    周壁
１２    周壁
１３    周壁
１４    周壁
１５    脚部支持用台座
１５ａ  脚部支持面
１５ｂ  エプロン部
１５ｃ  エプロン部
１５ｄ  角部
１６    洗濯機
１７    脚部
１８    パン排水口
１９    排水トラップ
２０    ホース案内用凹部
２０ａ  傾斜面
２１    洗濯機排水口
２２    排水ホース
【図１】
0003546533.tif 000002
【図２】
0003546533.tif 000003
【図３】
0003546533.tif 000004
【図４】
0003546533.tif 000005
【図５】
0003546533.tif 000006
【図６】
0003546533.tif 000007
【図７】
0003546533.tif 000008
【図８】
0003546533.tif 000009
【図９】
0003546533.tif 000010